(57)【要約】【課題】ユーザが指定しているスケジュールに従い指定されているＵＲＬに対応する情報処理装置から最新の情報を継続的に自動取得して印刷処理できる利便性に優れたインターネット印刷処理環境を自動構築することである。【解決手段】プリンタ１５００がインターネットＩＮＥＴに接続してユーザに指定した時間及びスケジュールにあわせて指定されているＵＲＬに対応する情報処理装置に自動巡回接続して、該情報処理装置で開示されている情報の更新有無を確認しながら、更新されている情報を自動取得して印刷処理する構成を特徴とする。【選択図】　　　図５
2004021453.tif 000002
【特許請求の範囲】
【請求項１】
情報配信する情報処理装置のＵＲＬを指定することによりインターネットに接続可能な印刷装置であって、
指定されるスケジュールに基づき前記ＵＲＬに巡回接続する接続手段と、
前記ＵＲＬに従い前記接続手段により接続された前記情報処理装置で開示されている情報の更新有無を確認して、更新されている情報を取得する取得手段と、
前記取得手段により取得された更新されている最新の情報を印刷部に印刷させる制御手段と、
を有することを特徴とする印刷装置。
【請求項２】
前記スケジュールは、同一のネットワーク上に接続される任意の情報処理装置からリモート入力されることを特徴とする請求項１記載の印刷装置。
【請求項３】
前記スケジュールをリモート入力する情報処理装置に対して、取得した情報の印刷状況を通知する通知手段を有することを特徴とする請求項１記載の印刷装置。
【発明の詳細な説明】
【０００１】
【発明の属する技術分野】
本発明は、インターネットに接続される情報処理装置と通信して情報を取得して自動印刷処理する印刷装置に関するものである。
【０００２】
【従来の技術】
従来、インターネット上で配信されているユーザが意図するコンテンツ及び情報をプリントアウトする際は、インターネットに接続されたホストコンピュータ（以下ホストＰＣとする）上で自分の希望するＵＲＬにアクセスしてプリンタに印刷処理を行わせるという手動操作による方法をとってきた。
【０００３】
【発明が解決しようとする課題】
ところが、従来までの方法では、希望するＵＲＬにアクセスするためには常にユーザが手動的に操作を行わねばならない事から、定期的に情報が更新されるインターネット情報（各種のホームページ）ではユーザの手が空かない場合や情報の取り忘れが起こった場合に、その分の情報が抜けてしまうという問題があった。
【０００４】
本発明は、上記の問題点を解決するためになされたもので、インターネットに接続してユーザに指定した時間及びスケジュールにあわせて指定されているＵＲＬに対応する情報処理装置に自動巡回接続して、該情報処理装置で開示されている情報の更新有無を確認しながら、更新されている情報を自動取得して印刷処理することにより、ユーザによるインターネット接続と情報更新有無の確認操作負担を減らして、ユーザが指定しているスケジュールに従い指定されているＵＲＬに対応する情報処理装置から最新の情報を継続的に自動取得して印刷処理できる利便性に優れたインターネット印刷処理環境を自動構築することができる印刷装置を提供することである。
【０００５】
【課題を解決するための手段】
本発明に係る第１の発明は、情報配信する情報処理装置のＵＲＬを指定することによりインターネットに接続可能な印刷装置であって、指定されるスケジュールに基づき前記ＵＲＬに巡回接続する接続手段と、前記ＵＲＬに従い前記接続手段により接続された前記情報処理装置で開示されている情報の更新有無を確認して、更新されている情報を取得する取得手段と、前記取得手段により取得された更新されている最新の情報を印刷部に印刷させる制御手段とを有することを特徴とする。
【０００６】
本発明に係る第２の発明は、前記スケジュールは、同一のネットワーク上に接続される任意の情報処理装置からリモート入力されることを特徴とする。
【０００７】
本発明に係る第３の発明は、前記スケジュールをリモート入力する情報処理装置に対して、取得した情報の印刷状況を通知する通知手段を有することを特徴とする。
【０００８】
【発明の実施の形態】
本実施形態の構成を説明する前に、本実施形態を適用するに好適なレーザビームプリンタおよびインクジェットプリンタの構成について図１〜図３を参照しながら説明する。なお、本実施形態を適用するプリンタは、レーザビームプリンタおよびインクジェットプリンタに限られるものではなく、他のプリント方式のプリンタでも良いことは言うまでもない。
【０００９】
図１は、本発明を適用可能な第１の出力装置の構成を示す断面図であり、例えばレーザビームプリンタ（ＬＢＰ）の場合を示す。
【００１０】
図１において、１５００はＬＢＰ本体（以下、プリンタという）であり、外部に接続されているホストコンピュータから供給される印刷情報（文字コード等）やフォーム情報あるいはマクロ命令等を入力して記憶するとともに、それらの情報に従って対応する文字パターンやフォームパターン等を作成し、記録媒体である記録紙等に像を形成する。１５０１は操作パネルで、操作のためのスイッチおよびＬＥＤ表示器等が配されている。１０００は、プリンタ１５００全体の制御およびホストコンピュータから供給される文字情報等を解析するプリンタ制御ユニットであり、このプリンタ制御ユニット１０００は、主に文字情報を対応する文字パターンのビデオ信号に変換してレーザドライバ１５０２に出力する。
【００１１】
レーザドライバ１５０２は半導体レーザ１５０３を駆動するための回路であり、入力されたビデオ信号に応じて半導体レーザ１５０３から発射されるレーザ光１５０４をオン・オフ切り換えする。レーザ光１５０４は回転多面鏡１５０５で左右方向に振らされて静電ドラム１５０６上を走査露光する。
【００１２】
これにより、静電ドラム１５０６上には文字パターンの静電潜像が形成されることになる。この潜像は、静電ドラム１５０６周囲に配設された現像ユニット１５０７により現像された後、記録紙に転写される。そして、この記録紙にはカットシートを用い、カットシート記録紙はプリンタ１５００に装着した用紙カセット１５０８に収納され、給紙ローラ１５０９および搬送ローラ１５１０と搬送ローラ１５１１とにより、装置内に取り込まれて、静電ドラム１５０６に供給される。
【００１３】
また、プリンタ１５００には、図示しないカードスロットを少なくとも１個以上備え、内蔵フォントに加えてオプションフォントカード，言語系の異なる制御カード（エミュレーションカード）を接続できるように構成されている。
【００１４】
図２は、本発明を適用可能な第２の出力装置の構成を示す外観図であり、例えばインクジェット記録装置（ＩＪＲＡ）の場合を示す。
【００１５】
図２において、駆動モータ５０１３の正逆回転に連動して駆動力伝達ギア５０１１，５００９を介して回転するリードスクリュー５００５の螺旋溝５００４に対して係合するキャリッジＨＣはピン（図示しない）を有し、矢印ａ，ｂ方向に往復移動される。このキャリッジＨＣには、インクタンクＩＴ，インクジェットヘッドＩＪＨを備えるインクジェットカートリッジＩＪＣが搭載されている。５００２は紙押え板であり、キヤリッジ移動方向にわたって紙をプラテン５０００に対して押圧する。
【００１６】
５００７，５００８はフォトカプラで、キヤリッジのレバー５００６のこの域での存在を確認して、モータ５０１３の回転方向切り換え等を行うためのホームポジション検知手段として機能する。５０１６は記録ヘッドの全面をキャップするキャップ部材５０２２を指示する部材、５０１５はこのキャップ内を吸引する吸引手段で、キャップ内開口５０２３を介して記録ヘッドの吸引回復を行う。
【００１７】
５０１７はクリーニングブレードで、部材５０１９により前後方向に移動可能となる。５０１８は本体支持板で、上記５０１７，５０１９を支持する。５０１２は、吸引回復の吸引を開始するためのレバーで、キャリッジと係合するカム５０２０の移動に伴って移動し、駆動モータからの駆動力がクラッチ切り換え等の公知の伝達手段で移動制御される。
【００１８】
これらのキャッピング，クリーニング，吸引回復は、キャッリジがホームポジション側領域にきたときにリードスクリュー５００５の作用によってそれらの対応位置で所望の処理が行えるように構成されているが、周知のタイミングで所望動作を行うように構成されていればよい。
【００１９】
図３は、図２に示した第２の出力装置の制御構成を説明するブロック図である。
【００２０】
図３において、１７００は記録信号を入力するインタフェース、１７０１はＭＰＵ、１７０２は前記ＭＰＵ１７０１が実行する制御プログラムやホスト印刷情報等を格納するＲＯＭ、１７０３はＤＲＡＭで、各種データ（上記記録信号やヘッドに供給される記録データ等）を保存しておく。
【００２１】
１７０４は、記録ヘッド１７０８に対する出力データの供給制御を行うゲートアレイで、インタフェース１７００，ＭＰＵ１７０１，ＤＲＡＭ１７０３間のデータの転送制御も行う。１７１０は前記記録ヘッド１７０８を搬送するためのキャリアモータ、１７０９は記録用紙搬送のための搬送モータ、１７０５は前記記録ヘッド１７０８を駆動するヘッドドライバ、１７０６は前記搬送モータ１７０９を駆動するモータドライバ、１７０７は前記キャリアモータ１７１０を駆動するモータドライバである。
【００２２】
このように構成された上記記録装置において、インタフェース１７００を介して後述するホストコンピュータ１００より入力情報が入力されると、ゲートアレイ１７０４とＭＰＵ１７０１との間で入力情報がプリント用の出力情報に変換される。そして、モータドライバ１７０６，１７０７が駆動されるとともに、ヘッドドライバ１７０５に送られた出力情報に従って記録ヘッドが駆動され印字が実行される。
【００２３】
なお、ＭＰＵ１７０１はインタフェース１７００を介して後述するホストコンピュータ１００との通信処理が可能となっており、ＤＲＡＭ１７０３に関するメモリ情報および資源データ等やＲＯＭ１７０２内のホスト印刷情報を後述するホストコンピュータ１００に通知可能に構成されている。
【００２４】
〔第１実施形態〕
図４は、本発明の第１実施形態を示す情報処理装置を適用可能なプリンタ制御システムの構成を説明するブロック図である。ここでは、レーザビームプリンタ（図１）を例にして説明する。なお、本発明の機能が実行されるのであれば、単体の機器であっても、複数の機器からなるシステムであっても、ＬＡＮ等のネットワークを介して処理が行われるシステムであっても本発明を適用できることは言うまでもない。
【００２５】
図４において、３０００はホストコンピュータで、ＲＯＭ３のプログラム用ＲＯＭに記憶された文書処理プログラム等に基づいて図形，イメージ，文字，表（表計算等を含む）等が混在した文書処理を実行するＣＰＵ１を備え、システムバス４に接続される各デバイスをＣＰＵ１が総括的に制御する。
【００２６】
また、このＲＯＭ３のプログラム用ＲＯＭにはＣＰＵ１の制御プログラム等を記憶し、ＲＯＭ３のフォント用ＲＯＭには上記文書処理の際に使用するフォントデータ等を記憶し、ＲＯＭ３のデータ用ＲＯＭは上記文書処理等を行う際に使用する各種データ（例えば、〜）を記憶する。２はＲＡＭで、ＣＰＵ１の主メモリ，ワークエリア等として機能する。
【００２７】
５はキーボードコントローラ（ＫＢＣ）で、キーボード（ＫＢ）９や不図示のポインティングデバイスからのキー入力を制御する。６はＣＲＴコントローラ（ＣＲＴＣ）で、ＣＲＴディスプレイ（ＣＲＴ）１０の表示を制御する。７はディスクコントローラ（ＤＫＣ）で、ブートプログラム，種々のアプリケーションタフォントデータ，ユーザファイル，編集ファイル等を記憶するハードディスク（ＨＤ）、フレキシブルディスク（ＦＤ）等の外部メモリ１１とのアクセスを制御する。
【００２８】
８はプリンタコントローラ（ＰＲＴＣ）で、所定の双方向性インタフェース（インタフェース）２１を介してプリンタ１５００に接続されて、プリンタ１５００との通信制御処理を実行する。
【００２９】
なお、ＣＰＵ１は、例えばＲＡＭ２上に設定された表示情報ＲＡＭへのアウトラインフォントの展開（ラスタライズ）処理を実行し、ＣＲＴ１０上でのＷＹＳＩＷＹＧを可能としている。また、ＣＰＵ１は、ＣＲＴ１０上の不図示のマウスカーソル等で指示されたコマンドに基づいて登録された種々のウインドウを開き、種々のデータ処理を実行する。
【００３０】
プリンタ１５００において、１２はプリンタＣＰＵで、ＲＯＭ１３のプログラム用ＲＯＭに記憶された制御プログラム等或いは外部メモリ１４に記憶された制御プログラム等に基づいてシステムバス１５に接続される各種のデバイスとのアクセスを総括的に制御し、印刷部インタフェース１６を介して接続される印刷部（プリンタエンジン）１７に出力情報としての画像信号を出力する。
【００３１】
また、このＲＯＭ１３のプログラム用ＲＯＭには、ＣＰＵ１２の制御プログラム等を記憶する。ＲＯＭ１３のフォント用ＲＯＭには上記出力情報を生成する際に使用するフォントデータ等を記憶し、ＲＯＭ１３のデータ用ＲＯＭにはハードディスク等の外部メモリ１４が無いプリンタの場合には、ホストコンピュータ上で利用される情報等を記憶している。
【００３２】
ＣＰＵ１２は入力部１８を介してホストコンピュータとの通信処理が可能となっており、プリンタ内の情報等をホストコンピュータ３０００に通知可能に構成されている。１９はＣＰＵ１２の主メモリ、ワークエリア等として機能するＲＡＭで、図示しない増設ポートに接続されるオプションＲＡＭによりメモリ容量を拡張することができるように構成されている。
【００３３】
なお、ＲＡＭ１９は、出力情報展開領域、環境データ格納領域、ＮＶＲＡＭ等に用いられる。前述したハードディスク（ＨＤ）、ＩＣカード等の外部メモリ１４は、ディスクコントローラ（ＤＫＣ）２０によりアクセスを制御される。外部メモリ１４は、オプションとして接続され、フォントデータ、エミュレーションプログラム、フォームデータ等を記憶する。また、１５０１は前述した操作パネルで、操作のためのスイッチおよびＬＥＤ表示器等が配されている。
【００３４】
また、前述した外部メモリは１個に限らず、少なくとも１個以上備え、内蔵フォントに加えてオプションフォントカード，言語系の異なるプリンタ制御言語を解釈するプログラムを格納した外部メモリを複数接続できるように構成されていても良い。さらに、図示しないＮＶＲＡＭを有し、操作パネル１５０１からのプリンタモード設定情報を記憶するようにしても良い。
【００３５】
このように構成されたプリンタ制御装置において、インターネットに接続された環境でユーザに指定した時間及びスケジュールに合わせて、指定したＵＲＬに自動的にアクセスし、情報が更新されていたらその配信情報を印刷出力することを特徴としている。
【００３６】
図５は、本発明に係る印刷制御装置における第１のデータ処理構成を説明する図である。
【００３７】
図において、ＩＮＥＴはインターネットで、それぞれ対象となるサーバがあらかじめ固有のＵＲＬが指定されており、プリンタ１５００との通信により情報配信処理が可能に構成されている。
【００３８】
図６は、本発明に係る印刷制御装置における第１のデータ処理手順の一例を示すフローチャートである。Ｓ１〜Ｓ１１は各ステップを示す。
【００３９】
先ず、ステップＳ１で処理が開始されると、ステップＳ２で、印刷装置に登録されているスケジュール予約状況を確認し、ステップＳ３で、希望する時間に予約があるかどうかを判定して、予約がないと判定した場合は、ステップＳ５へ進み、予約があると判定した場合はステップＳ４に進み、スケジュール予約を入力する。
【００４０】
次いで、ステップＳ５で、予約印刷を開始し、ステップＳ６で、予約された時間かどうかを判別し、ＹＥＳならステップＳ７へ進み、ＮＯならステップＳ６を繰り返す。
【００４１】
次に、ステップＳ７では、インターネットＩＮＥＴを介して指定されたＵＲＬにアクセスする。そして、ステップＳ８で、ＵＲＬのデータが前回アクセスした時のものから更新されているかどうかを判定し、ＮＯならばステップＳ７へ戻り、ＹＥＳならば、ステップＳ９で、アクセスされたＵＲＬのサーバから配信される情報を印刷する。
【００４２】
そして、ステップＳ１０で、予約されたスケジュールが残っているかどうかを判定して、残っていると判定した場合には、ステップＳ６へ戻り、残っていないと判定した場合には、ステップＳ１１で、処理を終了する。
【００４３】
上記第１実施形態では、プリンタ本体の操作部よりＵＲＬアクセススケジュールを入力する場合について説明したが、同一のネットワーク上に接続される任意のパソコン（ＰＣ）からＵＲＬアクセススケジュールをリモート入力を受け付け可能に構成してもよい。以下、その実施形態について説明する。
【００４４】
〔第２実施形態〕
図７は、本発明に係る印刷制御装置における第２のデータ処理構成を説明する図であり、図５と同一のものには同一の符号を付してある。
【００４５】
図において、３００１〜３００３はパソコンで、インターネットＩＮＥＴに接続可能であり、かつ、プリンタ１５００に対してユーザが意図するスケジュールで指定されたＵＲＬをアクセスするためのＵＲＬアクセススケジュールを設定可能に構成されている。なお、プリンタ１５００とパソコン３００１〜３００３とはそれぞれの所定のプロトコルで通信可能に構成されている。
【００４６】
図８は、本発明に係る情報処理装置における第１のデータ処理手順の一例を示すフローチャートであり、パソコン３００１〜３００３でそれぞれ実行可能な処理手順に対応する。Ｓ２１〜Ｓ２６は各ステップを示す。
【００４７】
先ず、ステップＳ２１で処理が開始されると、ステップＳ２２で、パソコン３００１〜３００３のいずれかからスケジュール予約を入力すると、ステップＳ２３で、入力した予約情報を所定のプロトコルでプリンタ１５００へ送信する。
【００４８】
次に、ステップＳ２４で、プリンタ１５００より予約完了通知の受信があったかどうかを判定して、受信があったと判定した場合は、処理を終了する（Ｓ２６）。
【００４９】
一方、ステップＳ２４で、予約完了通知の受信がなかったと判定した場合は、ステップＳ２５ヘ進み、予約不許可通知の受信があったかどうかを判定して、予約不許可通知の受信がなかったと判定した場合は、ステップＳ２４へ戻り、予約不許可通知の受信があったと判定した場合は、ステップＳ２６へ進み、処理を終了する。
【００５０】
図９は、本発明に係る印刷制御装置における第２のデータ処理手順の一例を示すフローチャートである。Ｓ３１〜Ｓ４４は各ステップを示す。
【００５１】
先ず、ステップＳ３１で処理が開始されると、ステップＳ３２で、パソコン３００１〜３００３のいずれかからスケジュール予約データを受信し、ステップＳ３３で、予約状況を確認し、ステップＳ３４で、予約が無し状態かどうかを判定して、受信したスケジュールデータと同じ時間帯に予約がすでにあると判定した場合は、ステップＳ３８へ進み、予約不許可通知をＰＣへ送信して、ステップＳ４４で処理を終了する。
【００５２】
一方、ステップＳ３４で、無いと判定した場合はステップＳ３５へ進むみ、プリンタ１５００に受信したスケジュールを予約登録する。次に、ステップＳ３６で、送信元に予約完了通知を送信する。そして、ステップＳ３７で、予約印刷を開始して、ステップＳ３９で、現在時刻が予約された時間かどうかを判別し、予約された時間まで待機し、予約時間に到達したら、ステップＳ４０で、指定されたＵＲＬにアクセスする。
【００５３】
そして、ステップＳ４１で、アクセスしたＵＲＬのデータが前回アクセスした時のものから更新されているかどうかを判定して、ＮＯならばステップＳ４０へ戻り、ＹＥＳならばステップＳ４２で、アクセスしているＵＲＬで配信される情報を印刷して、ステップＳ４３で、予約されたスケジュールが残っているかどうかを判定して、ＮＯならばステップＳ３９へ戻り、ＹＥＳならばステップＳ４４へ進み、処理を終了する。
【００５４】
〔第３実施形態〕
上記第２実施形態では、同一ネットワーク上の任意のＰＣからリモートでスケジュール入力をされた場合にそのスケジュールに従ってアクセスしたＵＲＬのサーバから配信される情報を印刷する場合について説明したが、該配信された印刷状況を依頼を受けたそのＰＣへ通知するように構成してもよい。以下、その実施形態について説明する。
【００５５】
図１０は、本発明に係る印刷制御装置における第３のデータ処理構成を説明する図であり、図７と同一のものには同一の符号を付してある。
【００５６】
図１１は、本発明に係る印刷制御装置における第３のデータ処理手順の一例を示すフローチャートである。Ｓ５１〜Ｓ６５は各ステップを示す。
【００５７】
先ず、ステップＳ５１で処理が開始されると、ステップＳ５２で、パソコン３００１〜３００３のいずれかからスケジュール予約データを受信し、ステップＳ５３で、予約状況を確認し、予約が無し状態かどうかを判定して、受信したスケジュールデータと同じ時間帯に予約がすでにあると判定した場合は、ステップＳ５８へ進み、予約不許可通知をＰＣへ送信して、ステップＳ６５で処理を終了する。
【００５８】
一方、ステップＳ５４で、無いと判定した場合はステップＳ５５へ進むみ、プリンタ１５００に受信したスケジュールを予約登録する。次に、ステップＳ５６で、送信元に予約完了通知を送信する。そして、ステップＳ５７で、予約印刷を開始して、ステップＳ５９で、現在時刻が予約された時間かどうかを判別し、予約された時間まで待機し、予約時間に到達したら、ステップＳ６０で、指定されたＵＲＬにアクセスする。
【００５９】
そして、ステップＳ６１で、アクセスしたＵＲＬのデータが前回アクセスした時のものから更新されているかどうかを判定して、ＮＯならばステップＳ６０へ戻り、ＹＥＳならばステップＳ６２で、アクセスしているＵＲＬで配信される情報を印刷して、ステップＳ６３で、予約を入力したＰＣへ印刷完了通知を行い、ステップＳ６４で、予約されたスケジュールが残っているかどうかを判定して、ＮＯならばステップＳ５９へ戻り、ＹＥＳならばステップＳ６５へ進み、処理を終了する。
【００６０】
以下、図１２，図１３に示すメモリマップを参照して本発明に係る印刷制御装置，情報処理装置を適用可能な印刷システムで読み出し可能なデータ処理プログラムの構成について説明する。
【００６１】
図１２は、本発明に係る印刷制御装置を適用可能な印刷システムで読み出し可能な各種データ処理プログラムを格納する記憶媒体のメモリマップを説明する図であり、図１３は、本発明に係る情報処理装置を適用可能な印刷システムで読み出し可能な各種データ処理プログラムを格納する記憶媒体のメモリマップを説明する図である。
【００６２】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００６３】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【００６４】
本実施形態における図６，図８，図９，図１１に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【００６５】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【００６６】
この場合、記憶媒体から読み出されたプログラムコード自体が本発明の新規な機能を実現することになり、そのプログラムコードを記憶した記憶媒体は本発明を構成することになる。
【００６７】
プログラムコードを供給するための記憶媒体としては、例えば、フレキシブルディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いることができる。
【００６８】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００６９】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００７０】
上記各実施形態によれば、インターネットに接続された環境において、ユーザに指定した時間及びスケジュールにあわせて、指定したＵＲＬ（ニュース、コンテンツ及び課金情報等）に自動的にアクセスし、情報が更新されていたら印字出力を行うことができるという効果がある。
【００７１】
また、第１実施形態によれば、印刷装置において同一のネットワーク上に接続される任意のＰＣからスケジュールのリモート入力を受ける事ができるという効果がある。
【００７２】
第２実施形態によれば、同一ネットワーク上の任意のＰＣからリモートでスケジュール入力をされた場合において、印刷状況をそのＰＣへ通知することができるという効果がある。
【００７３】
【発明の効果】
以上説明したように、本発明によれば、インターネットに接続してユーザに指定した時間及びスケジュールにあわせて指定されているＵＲＬに対応する情報処理装置に自動巡回接続して、該情報処理装置で開示されている情報の更新有無を確認しながら、更新されている情報を自動取得して印刷処理するので、ユーザによるインターネット接続と情報更新有無の確認操作負担を減らして、ユーザが指定しているスケジュールに従い指定されているＵＲＬに対応する情報処理装置から最新の情報を継続的に自動取得して印刷処理できる利便性に優れたインターネット印刷処理環境を自動構築することができるという効果を奏する。
【図面の簡単な説明】
【図１】本発明を適用可能な第１の出力装置の構成を示す断面図である。
【図２】本発明を適用可能な第２の出力装置の構成を示す外観図である。
【図３】図２に示した第２の出力装置の制御構成を説明するブロック図である。
【図４】本発明の第１実施形態を示す情報処理装置を適用可能なプリンタ制御システムの構成を説明するブロック図である。
【図５】本発明に係る印刷制御装置における第１のデータ処理構成を説明する図である。
【図６】本発明に係る印刷制御装置における第１のデータ処理手順の一例を示すフローチャートである。
【図７】本発明に係る印刷制御装置における第２のデータ処理構成を説明する図である。
【図８】本発明に係る情報処理装置における第１のデータ処理手順の一例を示すフローチャートである。
【図９】本発明に係る印刷制御装置における第２のデータ処理手順の一例を示すフローチャートである。
【図１０】本発明に係る印刷制御装置における第３のデータ処理構成を説明する図である。
【図１１】本発明に係る印刷制御装置における第３のデータ処理手順の一例を示すフローチャートである。
【図１２】本発明に係る印刷制御装置を適用可能な印刷システムで読み出し可能な各種データ処理プログラムを格納する記憶媒体のメモリマップを説明する図である。
【図１３】本発明に係る情報処理装置を適用可能な印刷システムで読み出し可能な各種データ処理プログラムを格納する記憶媒体のメモリマップを説明する図である。
【符号の説明】
１　ＣＰＵ
２　ＲＡＭ
３　ＲＯＭ
４　システムバス
１２　ＣＰＵ
１３　ＲＯＭ
１９　ＲＡＭ
３０００　ホストコンピュータ
１５００　プリンタ
【図１】
2004021453.tif 000003
【図２】
2004021453.tif 000004
【図３】
2004021453.tif 000005
【図４】
2004021453.tif 000006
【図５】
2004021453.tif 000007
【図６】
2004021453.tif 000008
【図７】
2004021453.tif 000009
【図８】
2004021453.tif 000010
【図９】
2004021453.tif 000011
【図１０】
2004021453.tif 000012
【図１１】
2004021453.tif 000013
【図１２】
2004021453.tif 000014
【図１３】
2004021453.tif 000015